(57)【要約】【課題】障子を室外側に突出して開放する可動窓と嵌め殺し窓を有した窓の窓枠の室外側を四周同一形状とする。【解決手段】上枠１ａと下枠１ｂと左右の縦枠１ｃと縦中骨２とで嵌め殺し窓用枠部１−１と可動窓用枠部１−２を有する窓枠１とし、前記上枠１ａ、下枠２ｂ、縦枠１ｃを、凹陥部形成部１０ａを有する枠本体１２と室外側押縁１３とでパネル体装着用の凹陥部１４を形成し、室外側押縁１３の面内方向の内側端よりも凹陥部形成部１０ａの面内方向の内側端が面内方向の内側に突出した同一の枠材とすることで、室外側押縁１３と干渉せずに障子４を可動窓用枠部１−２に取り付けできるようにし、それによって上枠１ａ、下枠１ｂの各枠部に渡って室外側押縁１３を取り付けたままとして窓枠１の室外側を四周同一形状とする。【選択図】図３
2015071868.tif 000002
【特許請求の範囲】
【請求項１】
面内方向に相対向した２つの第１枠材と、面内方向に相対向した２つの第２枠材を枠組みし、前記２つの第１枠材の長手方向中間部に渡って仕切り枠材を取り付けて嵌め殺し窓用枠部と可動窓用枠部を有する窓枠とし、
前記各第１枠材及び第２枠材は同一の枠材で、該枠材は、凹陥部形成部を有する枠本体と、該枠本体の室外側に取り付けた室外側押縁を備え、室外側押縁の面内方向の内側端よりも凹陥部形成部の面内方向の内側端が面内方向の内側に突出し、
前記嵌め殺し窓用枠部は、その嵌め殺し窓用枠部を形成する第１枠材、第２枠材における前記凹陥部形成部と室外側押縁で形成したパネル体装着用の凹陥部を有し、
前記可動窓用枠部は、その可動窓用枠部を形成する第１枠材、第２枠材における前記凹陥部形成部の室外側押縁の面内方向の内側端よりも面内方向の内側に突出した部分を戸当り部とする障子収容部を有し、
前記嵌め殺し窓用枠部の凹陥部にパネル体を装着して嵌め殺し窓とし、
前記可動窓用枠部の障子収容部に、室内側気密材と室外側気密材を有した障子を、可動窓用枠部よりも室外側に突出して開放するように取り付けて可動窓とし、
前記障子を閉じた状態で、室内側気密材が前記戸当り部に接し、室外側気密材が室外側押縁に接するようにしたことを特徴とする窓。
【請求項２】
前記仕切り枠材の嵌め殺し窓用枠部を形成する面内方向一方側に、前記２つの第１枠材の凹陥部と連続した凹陥部を形成した請求項１記載の窓。
【請求項３】
前記枠本体は、前記凹陥部形成部を有した室内側部と、この室内側部の室外側でかつ面内方向外側に室外側に向けて設けた室外側部を備え、
前記室外側押縁は、前記枠本体の室外側部の室外側に面内方向の内側に向かい、かつ着脱自在に取り付け、この室外側押縁と室外側部と室内側部の凹陥部形成部とで面内方向の内側に開口した凹陥部を形成し、
前記仕切り枠材の嵌め殺し窓用枠部を形成する面内方向一方側の室外側に、前記第１枠材及び第２枠材の室外側押縁と同一の室外側押縁を着脱自在に取り付けて凹陥部を形成した請求項２記載の窓。
【請求項４】
前記仕切り枠材の長手方向両端を、前記２つの第１枠材の枠本体の室内側部及び室外側部に接して取り付け、仕切り枠材の室外側押縁の長手方向両端部を第１枠材の枠本体の室外側部に接し、
前記２つの第１枠材の室外側押縁は、嵌め殺し窓用枠部の一方の室外側押縁と可動窓用枠部の他方の室外側押縁とを有し、
前記一方の室外側押縁の長手方向端部は仕切り枠材の室外側押縁に接し、
前記他方の室外側押縁の長手方向端部は仕切り枠材に接している請求項３記載の窓。
【請求項５】
前記仕切り枠材の可動窓用枠部を形成する面内方向他方側は、前記２つの第１枠材の戸当り部と連続する戸当り部を有し、前記仕切り枠材の戸当り部よりも室外側寄りは、戸当り部の面内方向の内側端よりも面内方向の外側に位置し、
前記可動窓用枠部は、四周連続した戸当り部を有すると共に、該戸当り部よりも室外側寄りに四周が囲まれた障子収容部を有している請求項１〜４いずれか１項記載の窓。
【請求項６】
前記仕切り枠材は、室内側部と、この室内側部の室外側面の面内方向中間に室外側に向けて設けた室外側部を有した本体及び、前記室外側部の室外側に、面内方向一方側に向けて取り付けた室外側押縁を備え、
前記室外側押縁と室外側部と室内側部の室内側面の面内方向一方側とで凹陥部を形成し、
前記室内側部の室外側面の面外方向他方側を戸当り部とした請求項１〜５いずれか１項記載の窓。
【請求項７】
前記各第１枠材及び第２枠材の枠本体はアルミ製で、その枠本体の長手方向両端部を４５°に切断すると共に、その切断面を突き合わせて連結し、
前記各室外側押縁をアルミ製とした請求項１〜６いずれか１項記載の窓。
【発明の詳細な説明】
【技術分野】
【０００１】
本発明は、嵌め殺し窓及び可動窓を有した窓、例えば嵌め殺し窓及び可動窓を有した連窓、嵌め殺し窓及び可動窓を有した段窓に関する。
【背景技術】
【０００２】
嵌め殺し窓及び可動窓である内開き窓を有した連窓が特許文献１に開示されている。
この連窓は、窓枠を縦中骨で嵌め殺し窓用の一側枠部と内開き窓用の他側枠部に区分し、一側枠部の室内側に押縁を取り付けてパネル体を装着することで嵌め殺し窓とする。他側枠部には押縁を取り付けせずに障子を室内側に向けて回動可能に取り付けて内開き窓としている。
【先行技術文献】
【特許文献】
【０００３】
【特許文献１】実開昭５９−１０４９７５号公報
【発明の概要】
【発明が解決しようとする課題】
【０００４】
特許文献１に開示した嵌め殺し窓と可動窓を有した連窓は、可動窓が、障子が窓枠よりも室内側に突出して開放する内開き窓であるので、窓枠を構成する上枠、下枠、左右の縦枠を、室外側壁を有する形状とし、嵌め殺し窓では室外側壁でパネル体を支持し、内開き窓では障子を室外側壁で支持することができるので、窓枠の室外側の四周を同一形状とすることができるが、嵌め殺し窓となる一側枠部の室内側に押縁を取り付け、内開き窓となる他側枠部の室内側には障子と干渉するので押縁を取り付けできないので、窓枠の室内側の四周は同一形状とすることができない。
【０００５】
特許文献１に開示した連窓に基づき、可動窓を外開き窓などのように障子が窓枠よりも室外側に突出して開放する可動窓とした場合には、上枠、下枠、左右の縦枠に室外側壁を設けることができないので、嵌め殺し窓となる一側枠部の室外寄りに押縁を取り付けてパネル体を支持し、可動窓となる他側枠部には押縁を取り付けせずに障子を他側枠部よりも室外側に突出して開放できるようにすることになる。
このために、窓枠の室外側の四周を同一形状とすることができない。
【０００６】
本発明は、前述の課題を解決するためになされたもので、その目的は、障子を可動窓用枠部よりも室外側に突出して開放する可動窓及び嵌め殺し窓を有した窓において、窓枠の室外側の四周を同一形状にできる窓とすることである。
【課題を解決するための手段】
【０００７】
本発明の窓は、面内方向に相対向した２つの第１枠材と、面内方向に相対向した２つの第２枠材を枠組みし、前記２つの第１枠材の長手方向中間部に渡って仕切り枠材を取り付けて嵌め殺し窓用枠部と可動窓用枠部を有する窓枠とし、
前記各第１枠材及び第２枠材は同一の枠材で、該枠材は、凹陥部形成部を有する枠本体と、該枠本体の室外側に取り付けた室外側押縁を備え、室外側押縁の面内方向の内側端よりも凹陥部形成部の面内方向の内側端が面内方向の内側に突出し、
前記嵌め殺し窓用枠部は、その嵌め殺し窓用枠部を形成する第１枠材、第２枠材における前記凹陥部形成部と室外側押縁で形成したパネル体装着用の凹陥部を有し、
前記可動窓用枠部は、その可動窓用枠部を形成する第１枠材、第２枠材における前記凹陥部形成部の室外側押縁の面内方向の内側端よりも面内方向の内側に突出した部分を戸当り部とする障子収容部を有し、
前記嵌め殺し窓用枠部の凹陥部にパネル体を装着して嵌め殺し窓とし、
前記可動窓用枠部の障子収容部に、室内側気密材と室外側気密材を有した障子を、可動窓用枠部よりも室外側に突出して開放するように取り付けて可動窓とし、
前記障子を閉じた状態で、室内側気密材が前記戸当り部に接し、室外側気密材が室外側押縁に接するようにしたことを特徴とする窓である。
【０００８】
本発明の窓は、前記仕切り枠材の嵌め殺し窓用枠部を形成する面内方向一方側に、前記２つの第１枠材の凹陥部と連続した凹陥部を形成することができる。
【０００９】
本発明の窓は、前記枠本体は、前記凹陥部形成部を有した室内側部と、この室内側部の室外側でかつ面内方向外側に室外側に向けて設けた室外側部を備え、
前記室外側押縁は、前記枠本体の室外側部の室外側に面内方向の内側に向かい、かつ着脱自在に取り付け、この室外側押縁と室外側部と室内側部の凹陥部形成部とで面内方向の内側に開口した凹陥部を形成し、
前記仕切り枠材の嵌め殺し窓用枠部を形成する面内方向一方側の室外側に、前記第１・第２枠材の室外側押縁と同一の室外側押縁を着脱自在に取り付けて凹陥部を形成することができる。
【００１０】
本発明の窓は、前記仕切り枠材の長手方向両端を、前記２つの第１枠材の枠本体の室内側部及び室外側部に接して取り付け、仕切り枠材の室外側押縁の長手方向両端部を第１枠材の枠本体の室外側部に接し、
前記２つの第１枠材の室外側押縁は、嵌め殺し窓用枠部の一方の室外側押縁と可動窓用枠部の他方の室外側押縁とを有し、
前記一方の室外側押縁の長手方向端部は仕切り枠材の室外側押縁に接し、
前記他方の室外側押縁の長手方向端部は仕切り枠材に接するようにできる。
【００１１】
本発明の窓は、前記仕切り枠材の可動窓用枠部を形成する面内方向他方側は、前記２つの第１枠材の戸当り部と連続する戸当り部を有し、前記仕切り枠材の戸当り部よりも室外側寄りは、戸当り部の面内方向の内側端よりも面内方向の外側に位置し、
前記可動窓用枠部は、四周連続した戸当り部を有すると共に、該戸当り部よりも室外側寄りに四周が囲まれた障子収容部を有したものにできる。
【００１２】
本発明の窓は、前記仕切り枠材は、室内側部と、この室内側部の室外側面の面内方向中間に室外側に向けて設けた室外側部を有した本体及び、前記室外側部の室外側に、面内方向一方側に向けて取り付けた室外側押縁を備え、
前記室外側押縁と室外側部と室内側部の室内側面の面内方向一方側とで凹陥部を形成し、
前記室内側部の室外側面の面外方向他方側を戸当り部としたものにできる。
【００１３】
本発明の窓は、前記各第１枠材及び第２枠材の枠本体はアルミ製で、その枠本体の長手方向両端部を４５°に切断すると共に、その切断面を突き合わせて連結し、
前記各室外側押縁をアルミ製とすることができる。
【発明の効果】
【００１４】
本発明によれば、窓枠を構成する各第１枠材、第２枠材は、室外側押縁の面内方向の内側端よりも枠本体の凹陥部形成部の面内方向の内側端が面内方向の内側に突出し、その突出した部分が可動窓用枠部の障子収容部の戸当り部であるから、可動窓用枠部の障子収容部に取り付けた障子を室外側押縁と干渉せずに室外側に突出して開放できるので、可動窓用枠部の第１枠材に室外側押縁を取り付けたままである。
したがって、障子を可動窓用枠部よりも室外側に突出して開放する可動窓及び嵌め殺し窓を有した窓において、窓枠の室外側の四周を同一形状にできる。
【００１５】
また、障子を閉じた状態で室内側気密材を戸当り部に接し、室外側気密材を室外側押縁に接することで、障子と可動窓用枠部との間を室内側と室外側の２ヶ所で気密することができる。
しかも、窓枠を構成する各第１枠材、第２枠材は同一であるから、アタッチメントを用いずに連窓としたり、段窓とすることができ、形材点数の削減、組立工数の削減、コストの削減が図れると共に、嵌め殺し窓用枠部の枠材の見付け寸法と可動窓用枠部の枠材の見付け寸法を同一にできる。
【図面の簡単な説明】
【００１６】
【図１】本発明の実施の形態を示す連窓の外観図である。
【図２】図１のＡ−Ａ断面図である。
【図３】図１のＢ−Ｂ断面図である。
【図４】図１のＣ−Ｃ断面図である。
【図５】上枠の拡大断面図である。
【図６】縦中骨の拡大断面図である。
【発明を実施するための形態】
【００１７】
図１は、本発明の実施の形態を示す連窓の外観図である。
窓枠１は、面内方向に相対向した２つの第１枠材である上枠１ａ、下枠１ｂと、面内方向に相対向した２つの第２枠材である左右の縦枠１ｃ、１ｃを枠組みした方形状である。
上枠１ａの長手方向中間部と下枠１ｂの長手方向中間部とに渡って仕切り枠材である縦中骨２を取り付け、窓枠１を、嵌め殺し窓用枠部１−１と、可動窓用枠部１−２に区分している。
嵌め殺し窓用枠部１−１にパネル体３を装着して嵌め殺し窓ａとしてある。
可動窓用枠部１−２に障子４を、可動窓用枠部１−２よりも室外側に突出して開放するように取り付けて可動窓ｂとしてある。
【００１８】
窓枠１は建物躯体１００の窓取付開口部１０１に挿入して取り付ける。
窓枠１と窓取付開口部１０１との間に湿式のシール材１０２を充填してシールしてある。
【００１９】
上枠１ａは、図２及び図３に示すように、室内側部１０と、この室内側部１０の室外側で、かつ面内方向外側である上下方向の上側に室外側に向けて設けた室外側部１１を有した枠本体１２と、室外側部１１の室外側に着脱自在に取り付けた室外側押縁１３を備え、室内側部１０の室外側面である凹陥部形成部１０ａと室外側部１１と室外側押縁１３とで面内方向の内側である下枠１ｂに向かう方向に開口したパネル体装着用の凹陥部１４を有している。
室内側部１０の凹陥部形成部１０ａの面内方向の内側端は、室外側押縁１３の面内方向の内側端１３ａよりも面内方向の内側である上下方向の下側に突出している。
【００２０】
下枠１ｂ、左右の縦枠１ｃ，１ｃは図２、図３、図４に示すように、上枠１ａと同一断面形状であるので、各部の符号を上枠１ａと同一として説明を省略する。
【００２１】
図５に基づき上枠１ａの詳細を説明する。
上枠１ａの室内側部１０は、面内方向に向かう室内側板１０ｂと室外側板１０ｃを室内外側方向に向かう内側板１０ｄと外側板１０ｅで連結した中空部を有する形状で、室内側板１０ｂ及び室外側板１０ｃが内側板１０ｄよりも面内方向の内側に突出し、室内側部１０の室内方向の内側に開口した凹部１５を有している。
室内側板１０ｂ及び室外側板１０ｃの面内方向の外側（下枠１ｂと反対側）は外側板１０ｅよりも面内方向の外側に突出し、その室内側板１０ｂの突出端に室外側に向かう室内側支持片１０ｆを有し、室外側板１０ｃの突出端寄りに室内側に向かい、室内側支持片１０ｆと対向した室外側支持片１０ｇを有している。
この室内側支持片１０ｆと室外側支持片１０ｇにアンカー１０３を取り付け、そのアンカー１０３を差し筋１０４に溶接して上枠１ａを建物躯体１００に取り付けている。
室外側板１０ｃの室外側面が室内側部１０の凹陥部形成部１０ａである。
【００２２】
室外側部１１は、室内側部１０の室外側板１０ｃの面内方向の外側の突出端寄りに室外側に向けて設けた板状で、その室外側に押縁取付部１６を有している。
押縁取付部１６は、面内方向の内側に向かう室内側内向片１６ａと室外側内向片１６ｂを備え、各内向片に室内側に向かう係止受片１６ｃを有している。
室内側内向片１６ａと室外側内向片１６ｂとの間に枠本体１２の長手方向に連続したビスホール１６ｄを有している。
【００２３】
室外側押縁１３は、面内方向の外側に室内側係止片１３ｂと室外側係止片１３ｃを有し、この各係止片１３ｂ，１３ｃを押縁取付部１６の各係止受片１６ｃに係止することで、室内側押縁１３を室外側部１１の室外側に、室外側に向かう外力が負荷しても外れないが、室内側に動かすことで外れるように着脱自在に取り付ける。
また、可動窓用枠部１−２の室外側押縁１３は図３及び図４に示すように押縁取付部１６に固着具、例えばビス１７で固定できるようにしてある。
つまり、可動窓用枠部１−２の室外側押縁１３をビス１７で固定している。
【００２４】
室内側部１０の凹陥部形成部１０ａの面内方向の内側端１０ａ−１は、室外側押縁１３の面内方向の内側端１３ａよりも面内方向の内側である上下方向の下側に突出し、その突出した部分を戸当り部としている。
【００２５】
縦中骨２は図４に示すように、室内側部２０と、室内側部２０の室外側面２０ａの面内方向の中間に室外側に向けて設けた室外側部２１を有する本体２２及び、室外側部２１の室外側における嵌め殺し窓用枠部１−１を形成する面内方向一方側に設けた押縁取付部２３に取り付けた室外側押縁２４を備え、室内側部２０の室外側面２０ａの面内方向一方側の凹陥部形成部と室外側部２１と室外側押縁２４とで面内方向の内側である一方の縦枠１ｃに向けて開口したパネル体装着用の凹陥部２５を有している。
【００２６】
図６に基づき縦中骨２の詳細を説明する。
縦中骨２の室内側部２０、室外側部２１の室内外側方向の寸法である見込み寸法は、縦枠１ｃの室内側部１０、室外側部１１の見込み寸法と同一で、縦中骨２の室内側部２０の室外側面２０ａと縦枠１ｃの室内側部１０の室外側面である凹陥部形成部１０ａは室内外側方向に同一で、嵌め殺し窓用枠部１−１の上枠１ａ、下枠１ｂ、縦枠１ｃの室内側部１０の凹陥部形成部１０ａと縦中骨２の室内側部２０の室外側面２０ａにおける面内方向一方側２０ａ−１は四周面一に連続する。つまり、室外側面２０ａにおける面内方向一方側２０ａ−１が凹陥部形成部である。
【００２７】
可動窓用枠部１−２の上枠１ａ、下枠１ｂ、縦枠１ｃの室内側部１０の凹陥部形成部１０ａと縦中骨２の室内側部２０の室外側面２０ａにおける面内方向他方側２０ａ−２は四周面一に連続する。
つまり、縦中骨２の室内側部２０の室外側面２０ａにおける面内方向他方側２０ａ−２が戸当り部で、可動窓用枠部１−２は四周連続した戸当り部を有している。
【００２８】
縦中骨２の可動窓用枠部１−２を形成する面外方向他方側は、室内側部２０の面内方向他方側の面内方向の内側面２０ｃと、室内側部２０の室外側面２０ａの面内方向他方側２０ａ−２と、室外側部２１の面内方向他方側の面内方向の内側面２１ａとで階段形状で、室内側部２０の室外側面２０ａの面内方向他方側２０ａ−２が戸当り部で、その戸当り部よりも室外側寄りは戸当り部の面内方向の内側端（室内側部２０の面内方向の内側面２０ｃ）よりも面内方向の外側に位置している。
【００２９】
縦中骨２の室外側部２１に設けた押縁取付部２３は、縦枠１ｃの押縁取付部１６と同一形状で、室内側内向片２３ａ、室外側内向片２３ｂに係止受片２３ｃをそれぞれ有すると共に、室内側内向片２３ａと室外側内向片２３ｂとの間にビスホール２３ｄを有している。
縦中骨２の室外側押縁２４は縦枠１ｃの室外側押縁１３と同一で、その面内方向の内側端２４ａが縦枠１ｃの室外側押縁１３の面内方向の内側端１３ａと相対向していると共に、その内側端２４ａは室内側部２０の面内方向一方側の内側面２０ｂと面内方向に同一である。
縦中骨２の室外側押縁２４は、その面内方向の外側に設けた室内側係止片２４ｂ、室外側係止片２４ｃを押縁取付部２３の係止受片２３ｃに係止することで、室外側押縁２４を押縁取付部２３に、室外側には外れないが、室内側には外れるように取り付ける。
【００３０】
縦中骨２の室内側部２０の上下部分を切断して除去することで、縦中骨２の室外側部２１の上下部分を室内側部２０の上下面よりも上方、下方に突出した形状とする。
そして、縦中骨２の室内側部２０の上下面を上枠１ａの室内側部１０の下面、下枠１ｂの室内側部１０の上面に接すると共に、縦中骨２の室外側部２１の上下端面を上枠１ａの室外側部１１の下面、下枠１ｂの室外側部１１の上面に接し、上枠１ａ、下枠１ｂからビスを縦中骨２の室内側部２０のビスホール２０ｄ、押縁取付部２３のビスホール２３ｄに螺合して上枠１ａと下枠１ｂとに渡って縦中骨２を取り付ける。
【００３１】
これにより、縦中骨２の凹陥部２５と上枠１ａ、下枠１ｂ、縦枠１ｃの各凹陥部１４が四周連続し、パネル体３を装着できる。
【００３２】
上枠１ａ、下枠１ｂ、左右の縦枠１ｃ，１ｃの枠本体１２は、アルミ製、例えばアルミ合金の押出し形材で、上枠１ａ、下枠１ｂ、左右の縦枠１ｃ，１ｃの枠本体１２の長手方向両端部を４５°に切断し、その切断面を突き合わせ、室内側部１０の中空部に設けたコーナー連結ブロック１８で連結している。
【００３３】
上枠１ａ、下枠１ｂ、縦枠１ｃの室外側押縁１３、縦中骨２の室外側押縁２４はアルミ製、例えばアルミ合金の押出し形材である。
上枠１ａ、下枠１ｂの室外側押縁１３は縦中骨２を境として嵌め殺し窓用枠部１−１の一方の室外側押縁１３と可動窓用枠部１−２の他方の室外側押縁１３とに２分割されている。
そして、上枠１ａ、下枠１ｂの嵌め殺し窓用枠部１−１の一方の室外側押縁１３の長手方向両端面を縦枠１ｃの室外側押縁１３、縦中骨２の室外側押縁２４の側面にそれぞれ接し、ビスで連結してある。
上枠１ａ、下枠１ｂの可動窓用枠部１−２の他方の室外側押縁１３は、縦中骨２の室外側部２１の面内方向他方側の内側面２１ａと縦枠１ｃの室外側押縁１３の側面に接し、ビスで連結してある。
【００３４】
このようであるから、窓枠１の室外側は図１に示すように、枠本体１２の室外側部１１及び室外側押縁１３が四周連続した形状で、窓枠１の室外側の四周を同一形状にできる。
【００３５】
次に、嵌め殺し窓ａを説明する。
図２及び図４に示すように、嵌め殺し窓用枠部１−１の室外側押縁１３，２４を外した状態で、パネル体３を室外側から嵌め殺し窓用枠部１−１に挿入し、室外側押縁１３，２４を取り付ける。
この後に、室内側部１０，２０の凹陥部形成部１０ａ，２０ａとパネル体３の室内側面３ａとの間を室内側シール材５でシールし、パネル体３の室外側面３ｂと室外側押縁１３，２４との間を室外側シール材６でシールする。
室内側シール材５は室外側シール材６よりも面内方向の内側に位置する。
【００３６】
次に、可動窓について説明する。
縦中骨２の可動窓用枠部１−２を形成する面内方向他方側が前述の形状であることと、室内側部１０の凹陥部形成部１０ａの面内方向の内側端１０ａ−１は、上枠１ａ、下枠１ｂ、縦枠１ｃの室外側押縁１３の面内方向の内側端１３ａよりも面内方向の内側に突出していることにより、可動窓用枠部１−２は、室外側押縁１３の面内方向の内側端１３ａと縦中骨２の室外側部２１の面内方向他方側の内側面２１ａとで成る室外側の開口が、各室内側部１０の面内方向の内側端１０ａ−１と縦中骨２の室内側部２０の面内方向の内側面２０ｃで成る室内側の開口よりも大きく、その室外側の開口が戸当り部を有した障子収容部で、その障子収容部に障子４を室外側から取り付けできるとともに、障子を障子収容部から室外側に突出できる。
【００３７】
図１に示すように、障子４は、面内方向に対向した２つの第１框である上框４ａ、下框４ｂと、面内方向に対向した２つの第２框である左右の縦框４ｃ，４ｃを方形状に連結し、その内部にパネル４ｄを装着してある。
【００３８】
上框４ａは図３に示すように、室内側部４０と、室内側部４０の室外側で、かつ面内方向の外側である上側に室外側に向けて設けた室外側部４１を有した框本体４２と、室外側部４１の室外側に着脱自在に取り付けた室外側押縁４３を備え、室内側部４０の室外側面である凹陥部形成部４０ａと室外側部４１と室外側押縁４３とで面内方向の内側である下框４ｂに向けて開口したパネル装着用の凹陥部４４を有している。
室内側部４０の面内方向の内側端４０ｂと室外側押縁４３の面内方向の内側端４３ａは面内方向に同一位置である。
【００３９】
上框４ａの室外側部４１の室内側、つまり上框４ａの室内側寄りには室内側気密材４５が室内側に向けて装着してある。
上框４ａの室外側部４１の室外側、つまり上框４ａの室外側寄りには室外側気密材４６が面内方向の外側に向けて装着してある。
【００４０】
下框４ｂ及び縦框４ｃは図３、図４に示すように上框４ａと同一で、各部に同じ符号をつけて説明を省略する。
そして、上框４ａ、下框４ｂ、左右の縦框４ｃの框本体４２はアルミ製、例えばアルミ合金の押出し材で、框本体４２の長手方向端部を４５°に切断し、切断端面を突き合わせて室内側部４０の中空部に設けたコーナー連結ブロック４７で連結され、室内側気密材４５及び室外側気密材４６は四周連続する。
【００４１】
各室外側押縁４３はアルミ製、例えばアルミ合金の押出し材で、上框４ａ、下框４ｂの室外側押縁４３の長手方向端面を縦框４ｃの室外側押縁４３の側面に接し、ビスで連結される。
【００４２】
障子４の上框４ａの室外側部４１の面内方向の外側面と下框４ｂの室外側部４１の面内方向の外側面との間の寸法及び左右の縦框４ｃの室外側部４１の面内方向の外側面間の寸法、つまり障子４の室外側寄りの面内方向の大きさは、可動窓用枠部１−２の室外側の障子収容部の大きさよりも小さく、四周連続した戸当り部の面内方向の内側端より成る開口よりも大きい。
障子４の上框４ａの室内側部４０の面内方向の外側面と下框４ｂの室内側部４０の面内方向の外側面との間の寸法及び左右の縦框４ｃの室内側部４０の面内方向の外側面間の寸法、つまり障子４の室内側寄りの面内方向の大きさは、可動窓用枠部１−２の室内側の開口の大きさよりも小さい。
【００４３】
そして、障子４は可動窓用枠部１−２に、障子４の室内側寄りが可動窓用枠部１−２の室内側の開口に入り込むと共に、障子４の室外側寄りが可動窓用枠部１−２の障子収容部に収容するように取り付けられ、上枠１ａの室内側部１０と上框４ａの室内側部４０及び、下枠１ｂの室内側部１０と下框４ｂの室内側部４０に渡ってフリクションステイ８を取り付けて縦辷り出し窓とし、障子４が可動窓用枠部１−２よりも室外側に突出して開放する可動窓としてある。
【００４４】
障子４を閉じた状態では、図３及び図４に示すように、障子４の室内側気密材４５が、上枠１ａ、下枠１ｂ、縦枠１ｃの室内側部１０の凹陥部形成部１０ａ（戸当り部）及び縦中骨２の室内側部２０の室外側面２０ａの面内方向他方側２０ａ−２（戸当り部）にそれぞれ接する。
障子４の室外側気密材４６は、上枠１ａ、下枠１ｂ、縦枠１ｃの室外側押縁１３及び縦中骨２の室外側部２１の面内方向他方側の内側面２１ａに接する。つまり、室外側気密材４６は可動窓用枠部１−２の障子収容部の室外側寄りに接する。
【００４５】
このようであるから、障子４と可動窓用枠部１−２を室内側と室外側の２ヶ所で気密することができる。
【００４６】
障子４を可動窓用枠部１−２よりも室外側に突出して開放するときに、障子４が室外側押縁１３と干渉することがないので、上枠１ａ、下枠１ｂの可動窓用枠部１−２の部分に室外側押縁１３を取り付けたままとすることができ、上枠１ａ、下枠１ｂは室外側押縁１３が長手方向全長に渡って有しているので、窓枠１の室外側の四周を同一形状とすることができる。
【００４７】
また、窓枠１を構成する上枠１ａ、下枠１ｂ、縦枠１ｃの枠本体１２及び室外側押縁１３はそれぞれ同一であるので、窓枠１の上枠１ａ、下枠１ｂ、縦枠１ｃの長手方向と直角方向の寸法、つまり見付け寸法を同一とすることができる。
【００４８】
また、障子４の上框ａ、下框４ｂ、左右の縦框４ｃは同一であるから、障子４の四周を同一形状とすることができる。
【００４９】
また、可動窓用枠部１−２は嵌め殺し窓用枠部１−１と同一の構成部材で構成されているので、障子４を組み込むことで可動窓となり、アタッチメントを必要とせずに可動窓と嵌め殺し窓を有する連窓とすることができ、形材点数の削減、組立工数の削減、コストの削減を図ることができる。
しかも、嵌め殺し窓と可動窓の室外側のデザインの連続性があり、嵌め殺し窓と可動窓を有する連窓の外観デザインの統一感がある。
【００５０】
前述の実施の形態は嵌め殺し窓と可動窓を有する連窓としたが、嵌め殺し窓と可動窓を有する段窓とすることができる。
例えば、図１に示す窓の窓枠１を９０°回転して左右の縦枠１ｃ，１ｃを上枠、下枠とすると共に、上枠１ａ、下枠１ｂを左右の縦枠とすることで、上が嵌め殺し窓で下が可動窓の段窓とすることができる。
つまり、上枠１ａ、下枠１ｂ、縦枠１ｃが同一であるから、窓枠１を９０°回転しても何ら問題がない。
【００５１】
前述の実施の形態では窓枠１に１つの縦中骨２を取り付けて嵌め殺し窓用枠部１−１と可動窓用枠部１−２を形成したが、窓枠１に複数の縦中骨２を取り付けて嵌め殺し窓用枠部１−１と可動窓用枠部１−２を複数形成しても良い。
例えば、窓枠１に２つの縦中骨２を取り付けて可動窓用枠部１−２、嵌め殺し窓用枠部１−１、可動窓用枠部１−２を形成する。
この場合には一方の縦中骨２を面内方向に反転して取り付ける。
【００５２】
前述の実施の形態では、可動窓を縦辷り出し窓としたが、これに限ることはない。
例えば、外開き窓、外倒し窓、突き出し窓などとすることができる。
つまり、障子４を可動窓用枠部１−２の室外側に突出して開放する可動窓とすれば良い。
【符号の説明】
【００５３】
１…窓枠、１−１…嵌め殺し窓用枠部、１−２…可動窓用枠部、１ａ…上枠（第１枠材）、１ｂ…下枠（第１枠材）、１ｃ…縦枠（第２枠材）、２…縦中骨（仕切り枠材）、３…パネル体、４…障子、１０…室内側部、１０ａ…凹陥部形成部（戸当り部）、１１…室外側部、１２…枠本体、１３…室外側押縁、１４…凹陥部、２０…室内側部、２０ａ…室外側面、２０ａ−１…面内方向一方側（凹陥部形成部）、２０ａ−２…面内方向他方側（戸当り部）、２１…室外側部、２２…本体、２４…室外側押縁、２５…凹陥部、４５…室内側気密材、４６…室外側気密材、ａ…嵌め殺し窓、ｂ…可動窓。
【図１】
2015071868.tif 000003
【図２】
2015071868.tif 000004
【図３】
2015071868.tif 000005
【図４】
2015071868.tif 000006
【図５】
2015071868.tif 000007
【図６】
2015071868.tif 000008